(57)【特許請求の範囲】
【請求項１】
応急処置キットであって、
識別子に関連付けられている第１の応急処置アイテムを含む少なくとも１つの応急処置アイテムと、
ユーザにより装着されるよう構成されているウェアラブルデバイスであって、
前記ユーザのモバイルデバイスと通信するための通信インタフェースと、
前記ウェアラブルデバイスが前記ユーザにより装着されているときにバイタルデータを取得するためのセンサと、
プロセッサであって、
前記通信インタフェースを介して、前記ユーザのモバイルデバイスにバイタルデータを送信し、
前記第１の応急処置アイテムから前記識別子を読み取り、
前記識別子を読み取ったことに基づく通知を前記モバイルデバイスに送信する
よう構成されているプロセッサと、
を有するウェアラブルデバイスと、
を有する応急処置キット。
【請求項２】
前記応急処置キットは、前記バイタルデータを処理するための命令を前記モバイルデバイスにロードさせる手段を有し、該手段は、
メモリであって、
前記バイタルデータを処理するための前記命令と、
アプリケーションダウンロードサーバにおける、前記バイタルデータを処理するための前記命令を指し示すリソース識別子と、
のうちの少なくとも１つを含むコンテンツを記憶しているメモリ
を有し、
前記メモリの前記コンテンツは、前記モバイルデバイスに送信される、請求項１記載の応急処置キット。
【請求項３】
前記ウェアラブルデバイスは前記メモリを有する、請求項２記載の応急処置キット。
【請求項４】
前記応急処置キットは、前記バイタルデータを処理するための命令を前記モバイルデバイスにロードさせる手段を有し、該手段は、
前記モバイルデバイスのカメラにより読み取られたときに、アプリケーションダウンロードサーバにおける、前記バイタルデータを処理するための前記命令を指し示すリソース識別子を伝達する可視的印
を有する、請求項１記載の応急処置キット。
【請求項５】
前記ウェアラブルデバイスの前記プロセッサは、さらに、
前記識別子を読み取ったことに少なくとも部分的に基づいて、前記第１の応急処置アイテムが使用中であると判定する
よう構成されており、
前記通知は、前記第１の応急処置アイテムが使用中であるというインジケーションを含む、請求項１乃至４いずれか一項記載の応急処置キット。
【請求項６】
前記通知は前記識別子を含む、請求項１乃至４いずれか一項記載の応急処置キット。
【請求項７】
前記識別子を読み取る際、前記プロセッサは、短距離無線通信を介して前記識別子を読み取るよう構成されている、請求項５又は６記載の応急処置キット。
【請求項８】
前記プロセッサは、さらに、前記応急処置キット内の内容物の識別情報を前記モバイルデバイスに送信するよう構成されている、請求項１乃至７いずれか一項記載の応急処置キット。
【請求項９】
少なくとも１つの応急処置アイテムを有する応急処置キット内に含有するためのウェアラブルデバイスであって、
ユーザのモバイルデバイスと通信するための通信インタフェースと、
前記ウェアラブルデバイスが前記ユーザにより装着されているときにバイタルデータを取得するためのセンサと、
プロセッサであって、
前記少なくとも１つの応急処置アイテムのうちの第１の応急処置アイテムから識別子を読み取り、
前記通信インタフェースを介して、前記ユーザのモバイルデバイスにバイタルデータ及び前記識別子に基づく通知を送信する
よう構成されているプロセッサと、
を有するウェアラブルデバイス。
【請求項１０】
メモリであって、
前記バイタルデータを処理するための命令と、
アプリケーションダウンロードサーバにおける、前記バイタルデータを処理するための前記命令を指し示すリソース識別子と、
のうちの少なくとも１つを含むコンテンツを記憶しているメモリ
をさらに有し、
前記プロセッサは、さらに、前記メモリの前記コンテンツを前記モバイルデバイスに送信するよう構成されている、請求項９記載のウェアラブルデバイス。
【請求項１１】
前記モバイルデバイスのカメラにより読み取られたときに、アプリケーションダウンロードサーバにおける、前記バイタルデータを処理するための命令を指し示すリソース識別子を伝達する可視的印
をさらに有する、請求項９記載のウェアラブルデバイス。
【請求項１２】
前記ウェアラブルデバイスの前記プロセッサは、さらに、
前記識別子を読み取ったことに少なくとも部分的に基づいて、前記第１の応急処置アイテムが使用中であると判定する
よう構成されており、
前記通知は、前記第１の応急処置アイテムが使用中であるというインジケーションを含む、請求項９乃至１１いずれか一項記載のウェアラブルデバイス。
【請求項１３】
前記通知は前記識別子を含む、請求項９乃至１１いずれか一項記載のウェアラブルデバイス。
【請求項１４】
前記識別子を読み取る際、前記プロセッサは、短距離無線通信を介して前記識別子を読み取るよう構成されている、請求項１２又は１３記載のウェアラブルデバイス。
【請求項１５】
前記プロセッサは、さらに、前記応急処置キット内の内容物の識別情報を前記モバイルデバイスに送信するよう構成されている、請求項９乃至１４いずれか一項記載のウェアラブルデバイス。
【発明の詳細な説明】
【技術分野】
【０００１】
本明細書に記載の様々な実施形態は、一般に、ウェアラブルデバイス及び応急処置アラートシステムに関する。より詳細には、限定ではないが、ウェアラブルデバイスは、健康関連データを応急処置サーバに送信し、応急処置サーバは、応急処置指示を含む又は緊急呼び出しを自動的に開始する勧告を送信する。
【０００２】
（関連出願との相互参照）
本出願は、２０１４年１２月２２日に出願された「First  Aid  Kit  Wearable」と題する米国特許仮出願第６２／０９５２３４号に基づく優先権の利益を主張するものであり、上記仮出願の開示が、全ての目的のために参照により本明細書に組み込まれる。
【背景技術】
【０００３】
ウェアラブル技術は、身体に装着され得る又は個人の衣類及びアクセサリに取り付けられ得る若しくは組み込まれ得る電子モバイルデバイスを含む。ウェアラブル技術の設計は、実用的な機能及び特徴をしばしば組み込むが、純粋に重要な又は美的な事項を有することもある。ウェアラブル技術に関連付けられたセンサ及びプロセッサが、情報を収集及び処理してユーザに表示することができる。ウェアラブル技術は、ユーザの健康データをモニタリングすること及び他のタイプのデータ及び統計量を提供することを含む様々な領域において使用され得る。医療・健康分野におけるウェアラブル技術の例は、ＦＩＴＢＩＴ（登録商標）デバイス、ＮＩＫＥ＋  ＦＵＥＬＢＡＮＤ（登録商標）デバイス、及びＡＰＰＬＥ  ＷＡＴＣＨ（登録商標）デバイスを含む。
【０００４】
コンピューティングデバイスに接続される現在利用可能な電子センサは、該電子センサにより検知されたデータを収集して操作するために使用されている。加速度を検知するセンサは、電子ウェアラブルデバイスを装着している人の動きに関連するデータを収集するために使用されている。例えば、所定のデバイスは、アクティビティ（例えば歩行）中の３次元（Ｘ、Ｙ、及びＺ）における加速度を測定することにより、ステップ数をカウントする加速度センサを有する。いくつかのウェアラブルデバイスは、アプリケーション又はウェブアプリケーションにおけるＧＵＩを操作するユーザが、一次パラメータ（例えば、消費されたカロリー数）に関連する他のデータを入力することを可能にする。そのようなデバイスにおいて、センサデータ及びユーザ入力は、メモリに記憶され得、アルゴリズムを実行するプロセッサは、センサにより検知された一連の知覚に対応するデータにおけるパターンを特定することができる。センサに接続されたウェアラブルコンピューティングデバイスを使用して、ウェアラブルコンピューティングデバイスを装着している人が運動しているときに、ウェアラブルコンピューティングデバイスを装着している人のアクティビティを検知することもできる。ウェアラブルデバイスはまた、人の生理的パラメータを測定することもできる。測定され得る生理的パラメータの例は、心拍数及び歩行／走行したステップを含む。いくつかの場合において、このような製品は、センサにより検知されたデータに基づいて、人が走行しているか又は歩行しているかを判定することができる。これは、データが所定の時間期間にわたって加速度センサにより検知されるステップをカウントすることに基づいて、行われ得る。一般的なウェアラブルデバイスは、センサ測定値を収集し、このようなセンサ測定値を内部メモリに保持する。したがって、このセンサデータを移動させること、又は、特定の測定値がセンサにより生成されることを伴う状況に基づいてアクションを実行することは、面倒で扱いにくいことがある。
【発明の概要】
【０００５】
様々な実施形態は、応急処置を提供するための方法を含む。そのような方法は、ウェアラブルデバイスのセンサから、ウェアラブルデバイスのユーザの健康パラメータに関連するセンサ測定値を受信することと、無線通信ネットワークを介して、センサ測定値を応急処置サーバに送信することと、応急処置サーバから、無線通信ネットワークを介して、センサ測定値と健康パラメータに関連付けられている予め定められた範囲との比較に関連する応答を受信することと、応急処置サーバから受信した応答に基づいてアクションを実行することと、を含み得る。
【０００６】
様々な実施形態は、応急処置を提供するためのシステムを含む。そのようなシステムは、ウェアラブルデバイスと、１つ以上の応急処置サーバと、モバイルデバイスと、を含み得る。ウェアラブルデバイスは、ユーザの健康パラメータを測定するためのセンサを含み得る。応急処置サーバは、健康パラメータに関連付けられている予め定められた範囲に関するデータソースを記憶しているメモリを含み得る。モバイルデバイスは、無線通信ネットワークを介して通信して、ウェアラブルデバイスのセンサからセンサ測定値を受信し、センサ測定値を応急処置サーバに送信し、応急処置サーバから、センサ測定値と予め定められた健康範囲との比較に関連する応答を受信する通信インタフェースを含み得る。モバイルデバイスは、応急処置サーバから受信した応答に基づいてアクションを実行するための命令を実行するプロセッサをさらに含み得る。
【０００７】
様々な実施形態は、オンデマンド無線サービスを提供する方法を実行するための、プロセッサにより実行可能なプログラムを記憶している非一時的なコンピュータ読み取り可能な記憶媒体を含む。そのようなプログラムは、ウェアラブルデバイスのセンサから、ウェアラブルデバイスのユーザの健康パラメータに関連するセンサ測定値を受信するための命令と、センサ測定値を応急処置サーバに送信するための命令と、応急処置サーバから、センサ測定値と健康パラメータに関連付けられている予め定められた範囲との比較に関連する応答を受信するための命令と、応急処置サーバから受信した応答に基づいてアクションを実行するための命令と、を含み得る。
【０００８】
本明細書に記載の様々な実施形態は、応急処置キット、並びに、応急処置キットに関連する方法及び非一時的なマシン読み取り可能な媒体であって、少なくとも１つの応急処置アイテム；及び、ユーザにより装着されるよう構成されているウェアラブルデバイスであって、ユーザのモバイルデバイスと通信するための通信インタフェースと、ウェアラブルデバイスがユーザにより装着されているときにバイタルデータを取得するためのセンサと、通信インタフェースを介して、ユーザの携帯電話機にバイタルデータを送信するよう構成されているプロセッサと、を含むウェアラブルデバイス；を含み、応急処置キットは、バイタルデータを処理するための命令をモバイルデバイスにロードさせる手段を含む、応急処置キット、並びに、応急処置キットに関連する方法及び非一時的なマシン読み取り可能な媒体に関する。
【０００９】
本明細書に記載の様々な実施形態は、応急処置キット内に含有するためのウェアラブルデバイス、並びに、ウェアラブルデバイスに関連する方法及び非一時的なマシン読み取り可能な媒体であって、ユーザのモバイルデバイスと通信するための通信インタフェース；ウェアラブルデバイスがユーザにより装着されているときにバイタルデータを取得するためのセンサ；及び、通信インタフェースを介して、ユーザの携帯電話機にバイタルデータ及び少なくとも１つの応急処置キットアイテムの識別情報を送信するよう構成されているプロセッサ；を含む、ウェアラブルデバイス、並びに、ウェアラブルデバイスに関連する方法及び非一時的なマシン読み取り可能な媒体に関する。
【００１０】
バイタルデータを処理するための命令をモバイルデバイスにロードさせる手段が、バイタルを処理するための命令と、アプリケーションダウンロードサーバにおける、バイタルを処理するための命令を指し示すリソース識別子と、のうちの少なくとも１つを含むコンテンツを記憶しているメモリを含み、メモリのコンテンツが、モバイルデバイスに送信される、様々な実施形態が記載される。
【００１１】
ウェアラブルデバイスがメモリを含む、様々な実施形態が記載される。
【００１２】
バイタルデータを処理するための命令をモバイルデバイスにロードさせる手段が、モバイルデバイスのカメラにより読み取られたときに、アプリケーションダウンロードサーバにおける、バイタルを処理するための命令を指し示すリソース識別子を伝達する可視的印を含む、様々な実施形態が記載される。
【００１３】
少なくとも１つの応急処置アイテムが、識別子を含み、ウェアラブルデバイスのプロセッサが、さらに、少なくとも１つの応急処置アイテムから識別子を読み取り、識別子を読み取ったことに少なくとも部分的に基づいて、少なくとも１つの応急処置アイテムが使用中であると判定し、少なくとも１つの応急処置アイテムが使用中であるというインジケーションをモバイルデバイスに送信するよう構成されている、様々な実施形態が記載される。
【００１４】
少なくとも１つの応急処置アイテムが、識別子を含み、ウェアラブルデバイスのプロセッサが、さらに、少なくとも１つの応急処置アイテムから識別子を読み取り、通信インタフェースを介して、識別子をモバイルデバイスに送信するよう構成されている、様々な実施形態が記載される。
【００１５】
識別子を読み取る際、プロセッサが、短距離無線通信を介して識別子を読み取るよう構成されている、様々な実施形態が記載される。
【００１６】
プロセッサが、さらに、応急処置キット内の内容物の識別情報をモバイルデバイスに送信するよう構成されている、様々な実施形態が記載される。
【図面の簡単な説明】
【００１７】
様々な例示的な実施形態をより良く理解するために、添付の図面が参照される。
【図１】電子モバイルデバイス又は応急処置サーバと通信することができる、例示的な応急処置キットからのウェアラブルデバイスを示す図。
【図２Ａ】モバイルデバイスの例示的な応急処置キットグラフィカルユーザインタフェース（ＧＵＩ）を示す図。
【図２Ｂ】ウェアラブルデバイスにおけるベース命令１２６により実行され得る例示的な方法を示すフローチャート。
【図２Ｃ】ウェアラブルデバイスにおけるアラートシステムにより実行される例示的な方法を示すフローチャート。
【図３Ａ】モバイルデバイスの例示的な応急処置キットグラフィカルユーザインタフェース（ＧＵＩ）を示す図。
【図３Ｂ】緊急対応者により使用されるウェアラブルデバイスのベース命令の例示的な動作を示すフローチャート。
【図４】モバイルデバイス応急処置キットアプリケーションにおけるベース命令により実行され得る例示的な方法を示すフローチャート。
【図５】応急処置サーバの緊急派遣命令の例示的な動作を示すフローチャート。
【図６】本明細書に記載の様々な機能及びプロセスを実装するために使用され得るモバイルデバイスアーキテクチャの例を示す図。
【図７Ａ】モバイルデバイスの応急処置キットＧＵＩにおいて選択され得る応急処置指示に関連する例示的な損傷タイプ選択ボックスの図。
【図７Ｂ】応急処置サーバのベース命令において応急処置指示を生成する例示的なプロセスを示すフローチャート。
【図８】本明細書に記載の例示的な方法及び原理と整合する例示的な方法を示すフローチャート。
【発明を実施するための形態】
【００１８】
本出願において提示される説明及び図面は、様々な原理を示している。当業者であれば、本出願において明示的には説明及び図示されないがこれらの原理を具現化し本開示の範囲に含まれる様々な構成を考え出すことができるであろうことが理解されよう。本明細書で使用される場合、「又は、若しくは、あるいは（or）」という用語は、別途示されない限り（例えば、「そうでなければ（or  else）」や「代替的に（or  in  the  alternative）」）、非排他的な「又は、若しくは、あるいは」を指す。さらに、本明細書に記載の様々な実施形態は、必ずしも相互に排他的であるとは限らず、本明細書に記載の原理を組み込んだ追加の実施形態をもたらすように組み合わされることもある。
【００１９】
ウェアラブルデバイスが、パラメータの健康データを検知し、該データを、９１１等の緊急サービスが呼び出されるべきかどうかを判定することができる応急処置サーバに送信するための改良されたシステム及び方法を提供することが望ましいであろう。本明細書に記載の様々な実施形態は、一般に、ウェアラブルデバイスが、健康関連データを収集し、該データを応急処置サーバに送信するためのシステム及び方法に関する。応急処置サーバは、健康関連データを受信した後、９１１に自動的に電話をかけるようにモバイルデバイスに自動的に通知する信号を送信することができる。応急処置サーバはまた、応急処置指示をモバイルデバイスに送信することができる。健康関連データは、ウェアラブルデバイスからモバイルデバイスに送信され得、該データは、モバイルデバイスにより、応急処置サーバに転送され得る。
【００２０】
ウェアラブルデバイス、モバイルデバイス、及び応急処置サーバは、当分野において知られている任意のデータ通信技術を使用して通信することができる。いくつかの場合において、ウェアラブルデバイスは、第１のタイプの無線データ通信技術を使用して、モバイルデバイスと通信することができ、モバイルデバイスは、第２のタイプの無線データ通信技術を使用して、応急処置サーバと通信することができる。様々な実施形態において有用なデータ通信インタフェースは、セルラ３Ｇ−４Ｇ  ＬＴＥデータ通信インタフェース、Ｗｉ−Ｆｉ（登録商標）（８０２．１１）データ通信インタフェース、赤外線データ通信インタフェース、光データ通信インタフェース、近距離データ通信インタフェース、及びＢｌｕｅｔｏｏｔｈ（登録商標）データ通信インタフェースを含むが、これらに限定されるものではない。所定の例において、ウェアラブルデバイスは、複数のデータ通信インタフェース、プロセッサ、メモリ、フィールドプログラマブルゲートアレイ（ＦＰＧＡ）、特定用途向け集積回路（ＡＳＩＣ）を含み得る。
【００２１】
本明細書に記載の電子モバイルデバイスは、スマートフォン、ｉＰｈｏｎｅ（登録商標）、Ａｎｄｒｏｉｄ（登録商標）フォン、ｉＰａｄ（登録商標）、及びノートブックコンピュータを含むが、これらに限定されるものではない。ウェアラブルデバイス又はモバイルデバイスにより通信される通信内容は、Ｂｌｕｅｔｏｏｔｈ（登録商標）、セルラ３Ｇ−４Ｇ  ＬＴＥ、及びＷｉ−Ｆｉ（８０２．１１）を含むがこれらに限定されるものではない、当分野において知られている任意のデータ通信技術を用いて通信され得る。所定の例において、モバイルデバイスは、複数のデータ通信インタフェース、プロセッサ、メモリ、フィールドプログラマブルゲートアレイ（ＦＰＧＡ）、特定用途向け集積回路（ＡＳＩＣ）を含み得る。
【００２２】
様々な方法は、ハードウェアと協働するソフトウェアにより実行され得る。例えば、命令は、プロセッサにより実行されたり、命令は、メモリ等の非一時的なコンピュータ読み取り可能な媒体に記憶されたりする。様々なインタフェースが実装され得る（通信及びインタフェースの両方）。当業者であれば、モバイルデバイスの様々な必須コンポーネント、及び、本出願に含まれる図面又は説明のうちの１つ以上との上記コンポーネントの統合、が理解されよう。
【００２３】
図１は、電子モバイルデバイス１４０又は応急処置サーバ１６０と通信することができる、例示的な応急処置キット１８０からのウェアラブルデバイス１１０を含む例示的な環境１００を示している。図１におけるウェアラブルデバイス１１０は、プロセッサ１１２、１つ以上のセンサ１１６、メモリ１１４、バッテリ１１８、ユーザインタフェース１２０（例えば、ディスプレイ、タッチスクリーン、ボタン、スピーカ、マイクロフォン、又はユーザとインタラクトするための他のハードウェア）、全地球測位システム（ＧＰＳ）１２２、有線又は無線通信インタフェース１２４（例えば、ＵＳＢポート、ＦｉｒｅＷｉｒｅ（登録商標）ポート、Ｌｉｇｈｔｎｉｎｇ（登録商標）ポート、Ｔｈｕｎｄｅｒｂｏｌｔ（登録商標）ポート、Ｗｉ−Ｆｉ接続、３Ｇ／４Ｇ／ＬＴＥセルラ接続、Ｂｌｕｅｔｏｏｔｈ（登録商標）接続、Ｂｌｕｅｔｏｏｔｈ（登録商標）  Ｌｏｗ  Ｅｎｅｒｇｙ接続、Ｂｌｕｅｔｏｏｔｈ（登録商標）  Ｓｍａｒｔ接続、近距離無線通信、無線波通信）を含む。メモリ１１４は、ベース命令１２６、インテリジェント（ｉ）ビーコン命令１３２、アラート命令１３０、及びグラフィカルユーザインタフェース（ＧＵＩ）命令１２２等の、プロセッサ１１２により実行される命令を記憶することができる。ビーコン命令１３２の例は、無線、光、赤外線、近距離データ通信伝送、及びＢｌｕｅｔｏｏｔｈ（登録商標）を介して送信される伝送内容を送信するための命令を含むが、これに限定されるものではない。
【００２４】
様々な実施形態において、ウェアラブルデバイス１１０は、例えば、説明されるコンポーネント１１２〜１３２のうちの１つ以上を含むブレスレット、ネックレス、ベルト、又はパッチ等の、キット１８０内に含まれるスタンドアロンデバイスであり得る。いくつかの実施形態において、説明されるコンポーネント１１２〜１３２のうちの１つ以上は、キットアイテム１８２〜１９８のうちの１つ以上に統合され得る。例えば、スマートバンデージ１８２、粘着バンデージ１９２、及び伸縮性サポートバンデージ１９０はそれぞれ、ウェアラブルデバイス１１０を構成することができる。
【００２５】
本明細書で使用される場合、「プロセッサ」という用語は、メモリに記憶されている命令を実行する又はデータを処理することができる任意のハードウェアデバイスを含むことが理解されよう。そのようなものとして、プロセッサは、マイクロプロセッサ、フィールドプログラマブルゲートアレイ（ＦＰＧＡ）、特定用途向け集積回路（ＡＳＩＣ）、又は他の同様のデバイスを含み得る。したがって、本明細書に記載の実施形態は、命令又はソフトウェアにより「実行される」様々な機能を説明するものであるが、そのような機能は、実際には、プロセッサ等の適切なハードウェアにより実行され得ることが明らかであろう。一部の又は全てのそのような説明される機能が、１つ以上のＡＳＩＣの構成にハードワイヤーされる実施形態において、そのような機能を規定する命令は、省かれ得る。
【００２６】
「メモリ」という用語は、例えば、Ｌ１キャッシュ、Ｌ２キャッシュ、Ｌ３キャッシュ、又はシステムメモリ、及び、フラッシュ記憶媒体、磁気記憶媒体、光記憶媒体、並びに、他の非一時的な記憶媒体等の様々なメモリを含むことが理解されよう。本明細書で使用される場合、「非一時的な」という用語は、一時的な信号を含まず、揮発性メモリ及び不揮発性メモリの両方を含む全ての形態のストレージを含むことが理解されよう。
【００２７】
いくつかの実施形態において、ウェアラブルデバイス１１０は、１つのセンサ１１６を有し得るのに対し、他の実施形態においては、ウェアラブルデバイス１１０は、複数のセンサ１１６を有し得る。これらのセンサ１１６は、例えば、水和（hydration）を測定するセンサ、カロリーを測定するセンサ、血圧を測定するセンサ、血糖値を測定するセンサ、インスリンを測定するセンサ、体温を測定するセンサ（例えば、体温計）、心拍数を測定するセンサ、体重を測定するセンサ、睡眠を測定するセンサ、ステップ数を測定するセンサ（例えば、歩数計）、速度又は加速度を測定するセンサ（例えば、加速度計）、ビタミン値を測定するセンサ、呼吸数を測定するセンサ、心音を測定するセンサ（例えば、マイクロフォン）、呼吸音を測定するセンサ（例えば、マイクロフォン）、移動速度を測定するセンサ、皮膚水分を測定するセンサ、汗検出のセンサ、汗成分を測定するセンサ、神経発火を測定するセンサ（例えば、電磁気センサ）、又は同様の健康測定値を測定するセンサを含み得る。
【００２８】
図１に示される例示的な応急処置キット１８０は、様々なサイズのウェアラブルデバイス１１０、スマートバンデージ１８２、ガーゼ１９３、消毒用アルコール１９４、殺菌剤１９５、アスピリン１９６、滅菌パッド１９８、伸縮性サポートバンデージ１９０、医療テープ１９１、ハサミ１９７、及び粘着バンデージ１９２を含む。図示される応急処置キット１８０の内容物は、例に過ぎず、これらの要素のうちの一部は省かれることもあるし、追加の要素が、応急処置キット１８０の一部であることもあることが明らかであろう。
【００２９】
いくつかの実施形態において、応急処置キット１８０内の要素のうちの一部（例えば、消毒用アルコール、殺菌剤、バンデージ）は、識別子（例えば、バーコード、シリアルナンバー／コード、クイックレスポンスコード（ＱＲコード（登録商標））、パッシブ又はアクティブ無線周波数識別子（ＲＦＩＤ）タグ、近距離無線通信タグ、Ｂｌｕｅｔｏｏｔｈ（登録商標）接続等）を含み得る。いくつかの実施形態において、ウェアラブルデバイス１１０、モバイルデバイス１４０、又は応急処置サーバ１６０は、これらの識別子を使用して、応急処置キット１８０の現在の在荷状況をトラッキング、ポーリング、又は記録することができ、応急処置キット１８０のどの要素が、所与の時間において使用されているかを記録することができる。これを用いて、緊急事態がいつ進行中であるかを推定することができ（例えば、応急処置キット１８０から殺菌剤及びバンデージが除去されたことは、損傷が発生したことを意味する可能性が高い）、これにより、ウェアラブルデバイス１１０又はモバイルデバイス１４０は、勧告を表示することができる（例えば、バンデージが除去された場合、ウェアラブルデバイス１１０は、「感染の機会を低減するために切傷に対して殺菌剤を使用しなさい」というメッセージを表示することができる）、あるいは、正しい要素又は薬品が使用されていることを確実にすることができる（例えば、バンデージ及び点眼薬が除去された場合、ウェアラブルデバイス１１０は、「あなたは点眼薬を使用しています−あなたは殺菌剤を使用することを意図していましたか？」というメッセージを表示することができる）。このような機能を実装するために、応急処置キット内のアイテムのうちの１つ以上は、ウェアラブルデバイスのハードウェアにより読み取られ得る識別子（例えば、特定のアイテム又はアイテムのタイプに固有の識別子）を記憶している、ＲＦＩＤチップ等の低電力無線チップを含み得る。そのような識別子を読み取ると、ウェアラブルデバイスは、当該アイテムが使用中であるとみなすことができる。例えば、いくつかの実施形態において、ウェアラブルデバイスは、アイテムが読み取られるのに十分近くにある場合、アイテムがユーザの手になければならないとみなすことができる。代替的に、ウェアラブルデバイスは、アイテムが読み取るのに十分近くにあるが、他のアイテムがキット内にある場合（例えば、２０個のタグ付きアイテムがキット内にあるのに対して３つのアイテムのみがレンジ内にある場合）、又は、キットコンテナ自体に関連付けられている無線チップが、読み取るのには十分近くにない場合、レンジ内にあるアイテムは、キットから取り出されて、使用中であり得る又は使用が意図され得ると判定することができる。内容物と応急処置キット内のアイテムの使用状況とをトラッキングするための様々な代替の方法が明らかであろう。例えば、各キットアイテムは、応急処置キットアプリケーションの動作下でウェアラブルデバイス１１０又はモバイルデバイス１４０により読み取られ得る、アイテムの識別子を有する可視的印（visible  indicia）を含んでもよい。
【００３０】
いくつかの実施形態において、様々なタイプの応急処置キット１８０が利用可能であり得、各タイプの応急処置キット１８０は、特殊化された緊急アイテムを含み得る。例えば、異なるアイテムが、家庭用応急処置キット（例えば、一般的な損傷及び電気的緊急機器）、火災用応急処置キット（例えば、消火器、ガスマスク、及び防火用ブランケット）、運動選手用応急処置キット（例えば、バンデージ、殺菌剤、抗菌軟膏、及び一時ギプス）、電気工用応急処置キット（例えば、絶縁手袋及び顔面遮蔽具）、化学者用応急処置キット（例えば、化学発火用消火器、眼のすすぎ剤、及び化学熱傷用処置軟膏）、心臓病用応急処置キット（例えば、血圧薬及び除細動器）、又はアレルギー用応急処置キット（例えば、アレルギー薬、軟膏、点眼薬、鼻噴霧器、及びエピネフリン自己注射器）内に提供され得る。いくつかの実施形態において、ウェアラブルデバイス１１０は、ウェアラブルデバイス１１０がパックされる応急処置キット１８０のタイプに基づいて、（ハードウェア又はソフトウェアにおいて）カスタマイズされ得る。例えば、運動選手用応急処置キット１８０のウェアラブルデバイス１１０は、脈拍センサを含み、燃焼されたカロリー又はバンデージに関する勧告を表示することができるのに対し、火災用応急処置キット１８０のウェアラブルデバイス１１０は、呼吸数センサ又は一酸化炭素センサを含み、火災のタイプに基づいて、消火に関する勧告を表示することができる。
【００３１】
ウェアラブルデバイス１１０は、モバイルデバイス１４０と、（例えば、接続１０８を介して）直接通信することができる、又は、モバイルデバイス１４０又は応急処置サーバ１６０（例えば、応急処置サーバ１６０の１つ以上のサーバ）と、データネットワーク１０１を介して接続することにより（例えば、接続１０２を介し、続いて接続１０４を介して、モバイルデバイス１４０に接続することにより、又は、接続１０２を介し、続いて接続１０６を介して、応急処置サーバ１６０に接続することにより）、通信することができる。データネットワーク１０１は、例えば、ローカルエリアネットワーク、モバイルキャリアネットワーク、クラウドコンピューティングインフラストラクチャ、又はインターネットを含むデータ通信を促進することができる実質的に任意のデバイス又はデバイスのグループであり得る。そのような通信は、通信インタフェース１２４又はビーコン命令１３２を使用して、行われ得る。図１に示され上述したウェアラブルデバイス１１０のコンポーネントは、限定ではなく例示であることを理解されたい。ウェアラブルデバイス１１０は、これらのコンポーネントの全てを含む必要はないし、本明細書で挙げられていない追加のコンポーネントを含んでもよい。
【００３２】
図１におけるモバイルデバイス１４０は、メモリ１４２、通信インタフェース１４４（例えば、ＵＳＢポート、ＦｉｒｅＷｉｒｅポート、Ｌｉｇｈｔｎｉｎｇポート、Ｔｈｕｎｄｅｒｂｏｌｔポート、Ｗｉ−Ｆｉ接続、３Ｇ／４Ｇ／ＬＴＥセルラ接続、Ｂｌｕｅｔｏｏｔｈ（登録商標）接続、Ｂｌｕｅｔｏｏｔｈ（登録商標）  Ｌｏｗ  Ｅｎｅｒｇｙ接続、Ｂｌｕｅｔｏｏｔｈ（登録商標）  Ｓｍａｒｔ接続、近距離無線通信、無線波通信）、バッテリ１４６、及びユーザインタフェース１４５を含む。様々な実施形態において、メモリ１４２は、オペレーティングシステム１４８（例えば、ＧＯＯＧＬＥ（登録商標）  Ａｎｄｒｏｉｄ（登録商標）オペレーティングシステム又はＡＰＰＬＥ（登録商標）  ｉＯＳ（登録商標）オペレーティングシステム）及び応急処置キットアプリケーション１５０を記憶することができる。応急処置キットアプリケーション１５０は、ベース命令１５４及び応急処置キットグラフィカルユーザインタフェース（ＧＵＩ）命令１５２を含み得る。いくつかの実施形態において、モバイルデバイス１４０は、（例えば、接続１０８を介して）ウェアラブルデバイス１１０と直接接続することができる。いくつかの実施形態において、モバイルデバイス１４０は、（例えば、接続１０４を介して）データネットワーク１０１に接続し、次いで、（例えば、接続１０４を介して）ウェアラブルデバイス１１０に、又は、（例えば、接続１０６を介して）応急処置サーバ１６０に、さらに接続することができる。通信インタフェース１２４又はビーコン命令１３２により、ウェアラブルデバイス１１０が、（例えば、接続１０２を介して）データネットワーク１０１に接続するのではなく、（例えば、接続１０８を介して）モバイルデバイス１４０に直接接続することが可能になる実施形態等のいくつかの実施形態において、ウェアラブルデバイス１１０は、モバイルデバイス１４０をプロキシとして使用して、応急処置サーバ１６０に接続することができる。図１に示され上述したモバイルデバイス１４０のコンポーネントは、限定ではなく例示であることを理解されたい。モバイルデバイス１４０は、これらのコンポーネントの全てを含む必要はないし、本明細書で挙げられていない追加のコンポーネントを含んでもよい。
【００３３】
ユーザモバイルデバイス１５０は、例えば、スマートフォン、タブレット、ラップトップコンピュータ、デスクトップコンピュータ、ゲームコンソール、スマートテレビジョン、ホームエンターテイメントシステム、第２のウェアラブルデバイス、又は別のコンピューティングデバイスであり得る。
【００３４】
応急処置サーバ１６０は、緊急派遣（emergency  dispatch）命令１６２、緊急派遣データベース１６４、及び応急処置指示１７０を含み得る。応急処置指示１７０は、ベース命令１７２及びサードパーティ命令１７４を含み得る。図１に示されるスマートバンデージは、１つ以上のセンサ１８５ａ、１８５ｂ、１８５ｃ、滅菌パッド１８４、及び粘着ストリップ１８３ａ、１８３ｂを含む絆創膏を示している。いくつかの実施形態において、これらの要素のうちの一部は、省かれることもあるし、追加の要素が含まれることもある。
【００３５】
図２Ａ〜図２Ｃはそれぞれ、応急処置キットグラフィカルユーザインタフェース（ＧＵＩ）２００の例、例示的なベース命令動作を示すフローチャート２２９、及び例示的なアラートシステム動作を示すフローチャート２６９を示している。
【００３６】
図２Ａは、例示的な応急処置キットグラフィカルユーザインタフェース（ＧＵＩ）（例えば、モバイルデバイス１４０のＧＵＩ命令１５２又はウェアラブルデバイス１２０のＧＵＩ命令１２８により生成され得るＧＵＩ）を示している。例示的な応急処置キットグラフィカルユーザインタフェース（ＧＵＩ）２００は、応急処置キットグラフィカルユーザインタフェース（ＧＵＩ）１５２又はＧＵＩ１２８の一実施形態を示しているが、応急処置キットグラフィカルユーザインタフェース（ＧＵＩ）２００の他の実施形態は、異なって動作し得ることに留意されたい。図２Ａの例示的な応急処置キットＧＵＩ２００は、対応者タブ２０１及び患者タブ２０５を含み、患者タブ２０５が選択されている。応急処置キットＧＵＩ２００は、いくつかの選択ボタン（例えば、「緊急派遣呼び出し」ボタン２１０、応急処置指示ボタン２１５）、表示ボックス２２０、及び、バイタルサインテーブル２２５内のバイタルサインデータのセットを含む。例示的な応急処置キットＧＵＩ２００内の選択ボタンは、緊急派遣呼び出し選択ボタン２１０及び応急処置指示選択ボタン２１５である。緊急派遣呼び出し選択ボタン２１０が選択されたとき、９１１又は別の緊急派遣サービスに電話がかけられ得る。応急処置指示選択ボタン２１５が選択されたとき、バイタルサインテーブル２２５内のバイタルサインデータのセットに対応し得る指示のセットが、（例えば、表示ボックス２２０において）応急処置キットＧＵＩ２００内に表示され得る。例えば、ＧＵＩ２００により表示される指示は、（例えば、表示ボックス２２０において）創傷をどのようにドレッシングするかにも関するものであり得る。応急処置キットＧＵＩ１５２内に示されるバイタルサインテーブル２２５は、ウェアラブルデバイス１１０の様々なセンサ測定値に関するバイタルサインデータ（例えば、１０１°Ｆという体温、１２０／８０という血圧、７５という脈拍数、及び１５という呼吸数）を含む。
【００３７】
図２Ａの例示的な応急処置キットＧＵＩ２００のＧＵＩ要素は、限定ではなく例示であると解釈されるべきである。応急処置キットＧＵＩ１５２の別の実施形態は、これらのＧＵＩ要素の全てを含む必要はないし、本明細書で挙げられていない追加の又は異なるＧＵＩ要素を含んでもよい。
【００３８】
図２Ｂは、ウェアラブルデバイス１１０における例示的なベース命令１２６により実行され得る例示的な方法を示すフローチャート２２９である。ベース命令フローチャートにおけるステップ２３０は、ウェアラブルデバイス１１０を患者上に配置することによりベース命令１２６を開始することを含む。ステップ２３５において、ウェアラブルデバイスＧＵＩ命令１２８がまだダウンロードされていない場合、ウェアラブルデバイスＧＵＩ命令１２８が、ビーコン１３２を通じて、ウェアラブルデバイス１１０にダウンロード又はインストールされる。ステップ２４０において、ウェアラブルデバイス１１０におけるベース命令１２６は、バイタルサイン（例えば、血圧、脈拍）を検知し、次いで、ステップ２４５において、ベース命令１２６は、応急処置サーバ１６０が利用可能かどうか（例えば、応急処置サーバ１６０が、ウェアラブルデバイス１１０又はモバイルデバイス１４０を通じてアクセス可能であるかどうか）を判定する。ステップ２４５において、応急処置サーバ１６０が利用可能でないと判定された場合、ベース命令１２６は、ステップ２４０におけるバイタルサインを検知することに戻り、ステップ２４５において、応急処置サーバ１６０が利用可能になるまで応急処置サーバ１６０の利用可能性についてチェックする。ステップ２４５において、応急処置サーバ１６０が利用可能であると判定された場合、ベース命令１２６は、ステップ２５０に移り、（例えば、接続１０８を介して直接、又は、接続１０２を介しデータネットワーク１０１を介し接続１０４を介して）バイタルサインをモバイルデバイスに送信する。いくつかの実施形態において、ウェアラブルデバイス１１０において検知されたバイタルサインデータは、モバイルデバイス１４０を介して、応急処置サーバ１６０にも送信され得る。他の例において、バイタルサインデータは、モバイルデバイス１４０を介在することなく、データネットワーク１０１を介して、ウェアラブルデバイス１１０から直接応急処置サーバ１６０に送信され得る。ユーザベース命令１２６の異なる実施形態は、異なる動作を実行することができる。
【００３９】
図２Ｃは、ウェアラブルデバイス１１０における例示的なアラート命令１３０により実行される例示的な方法を示すフローチャート２６９である。アラートシステム方法フローチャートのステップ２７０において、アラートボタンが、例えば、ウェアラブルデバイス上の物理ボタンとして又はウェアラブルデバイスのＧＵＩ１２８において、押下される。フローチャート２６９は、ウェアラブルデバイスにより実行される方法に関するものであるが、例えば、モバイルデバイス１４０の応急処置キットＧＵＩ２００の緊急派遣ボタン２１０をユーザが押下すると、類似する命令が、モバイルデバイスにより使用され得ることが明らかであろう。次いで、ステップ２７５において、ウェアラブルデバイス１１０は、ビーコン１３２又は通信インタフェース１２４を使用して（例えば、接続１０８を使用して又は接続１０２及び１０４を介するデータネットワーク１０１を使用して）、モバイルデバイス１４０に接続し、次いで、ステップ２８０において、モバイルデバイス１４０は、９１１又は別の緊急番号に電話をかける。アラート命令１３０の異なる実施形態は、異なる動作を実行することができる。次いで、この方法は、ステップ２８５における終了に進む。
【００４０】
図２Ｂ及び図２Ｃにおけるフロー図は、様々な実施形態により実行される特定の順序の動作を示しているが、そのような順序は例であることを理解されたい（例えば、代替実施形態は、異なる順序で動作を実行してもよいし、所定の動作を組み合わせてもよいし、所定の動作をオーバーラップさせてもよい、等である）。
【００４１】
図３Ａ〜図３Ｂはそれぞれ、例示的な応急処置キットＧＵＩ３００及びスマートバンデージ１８２の方法のフローチャート３６９を示している。
【００４２】
図３Ａは、モバイルデバイス１４０（又はいくつかの実施形態においてはウェアラブルデバイス１２０）の例示的な応急処置キットグラフィカルユーザインタフェース（ＧＵＩ）３００を示している。例示的な応急処置キットグラフィカルユーザインタフェース（ＧＵＩ）３００は、応急処置キットグラフィカルユーザインタフェース（ＧＵＩ）１５２の一実施形態を示しているが、応急処置キットグラフィカルユーザインタフェース（ＧＵＩ）１５２の他の実施形態は、異なって動作し得ることに留意されたい。
【００４３】
例示的な応急処置キットＧＵＩ１５２は、対応者タブ２０１及び患者タブ３０５を含み、対応者タブ３０１が選択されている。例示的な応急処置キットＧＵＩ３００は、いくつかの選択ボックス（例えば、スマートバンデージデータボックス３１２、緊急派遣呼び出しボックス３１０、応急処置指示ボックス３１５）、表示ボックス３２０、及び、テーブル３２５内のバイタルサインデータのセットを含み得る。例示的な応急処置キットＧＵＩ１５２内の選択ボックスは、「緊急派遣呼び出し」３１０、「スマートバンデージデータ」３１２、及び「応急処置指示」３１５である。「緊急派遣呼び出し」選択ボックス３１０が選択されたとき、モバイルデバイスの通信インタフェース１４４を介して若しくはウェアラブルデバイスの通信インタフェース１２４を介して又はビーコン１３２を介して、９１１又は別の緊急対応者に電話がかけられ得る。「応急処置指示」選択ボックス３１５が選択されたとき、バイタルサインデータのセットに対応し得る指示のセットが、（例えば、表示ボックス３２０において又はバイタルサイン３２５と並んで）ＧＵＩ１５２内に表示され得る。ＧＵＩ１５２内に表示される指示は、例えば、創傷をどのようにドレッシングするかに関するものであり得る。応急処置キットＧＵＩ１５２のバイタルサインデータテーブル３２５内に示される例示的なバイタルサインは、１０１°Ｆという体温、１２０／８０という血圧、７５という脈拍数、及び１５という呼吸数を含む。「スマートバンデージデータ」選択ボックス３１２が選択されたとき、モバイルデバイスは、スマートバンデージ１８２からの以前に受信されたデータを取り出す又は表示することができる。
【００４４】
図３Ａの例示的な応急処置キットＧＵＩ３００のＧＵＩ要素は、限定ではなく例示であると解釈されるべきである。応急処置キットＧＵＩ１５２の別の実施形態は、これらのＧＵＩ要素の全てを含む必要はないし、本明細書で挙げられていない追加の又は異なるＧＵＩ要素を含んでもよい。
【００４５】
図３Ｂは、スマートバンデージ１８２の例示的な動作を示すフローチャート３６９である。例えば、スマートバンデージ１８２は、フローチャート３６９の方法を実行するよう構成されているマイクロコントローラ又はＡＳＩＣを含み得る。スマートバンデージの方法のフローチャートは、ステップ３７０で開始し、ステップ３７０において、スマートバンデージ１８２が創傷上に配置される。ステップ３７５において、データが、スマートバンデージ１８２に組み込まれ得るセンサ１８４から収集される。次いで、スマートバンデージ１８２の方法のステップ３８０において、データが、スマートバンデージ１８２のセンサ１８４ａ、１８４ｂ、１８４ｃから対応者モバイルデバイス１４０に送信され、次いで、ステップ３８５において、スマートバンデージセンサデータが、対応者モバイルデバイス１４０から、又は、スマートバンデージ１８２から直接、応急処置サーバ１６０に送信され得る。最後に、スマートバンデージ１８２の方法のステップ３９０において、応急処置指示が、対応者モバイルデバイスに送信され、これらの応急処置指示が、対応者モバイルデバイス１４０における応急処置キットＧＵＩ１５２において、又は、いくつかの実施形態においては、対応者のウェアラブルデバイス１１０のＧＵＩ１２８において、表示され得る。ＧＵＩ（１５２又は１２８）において表示される応急処置指示は、例えば、ガーゼバンデージを用いて創傷をどのようにドレッシングするかに関するものであり得る。次いで、この方法は、ステップ３９５における終了に進む。
【００４６】
図３Ｂにおけるフロー図は、様々な実施形態により実行される特定の順序の動作を示しているが、そのような順序は例であることを理解されたい（例えば、代替実施形態は、異なる順序で動作を実行してもよいし、所定の動作を組み合わせてもよいし、所定の動作をオーバーラップさせてもよい、等である）。
【００４７】
図４は、モバイルデバイス１４０の応急処置キットアプリケーション１５０におけるベース命令１５４により実行され得る例示的な方法を示すフローチャート４００である。図４の方法におけるステップ４０５において、モバイルデバイスは、ウェアラブルデバイス１１０からのビーコン１３２又は通信インタフェース１２４を認識することができる。ステップ４１０において、モバイルデバイス１４０は、応急処置サーバ１６０又はウェアラブルデバイス１１０から応急処置キットアプリケーション１５０をダウンロードする又はそのような応急処置キットアプリケーション１５０をインストールする（モバイルデバイス１４０がそのようなことをまだ行っていない場合）。例えば、ウェアラブルデバイス上のボタンが押下されると、又は、モバイルデバイスが、ウェアラブルデバイスの無線（例えば、ＮＦＣ又はＢｌｕｅｔｏｏｔｈ（登録商標））レンジ内に入ると、ウェアラブルデバイスは、応急処置キットアプリケーション１５０を規定するプログラム命令、又は、そのようなプログラム命令をダウンロードできるダウンロード元を示すリソース識別子（例えば、アプリケーションストア／マーケットプレースサーバに知られているアプリケーションＩＤ又はＵＲＬ）を送信することができる。代替的に、ウェアラブルデバイス又は応急処置キットは、モバイルデバイスによりスキャンされて認識され得る印（例えば、ＱＲコード（登録商標）、バーコード、識別画像、又は、光学的に認識可能な文字若しくはモバイルデバイスのカメラにより読み取られる他の文字）を含んでもよい。そのような印は、そのようなプログラム命令をダウンロードできるダウンロード元を示すリソース識別子を伝達することができる。次いで、この方法は、ステップ４１５に移り、ステップ４１５において、バイタルサイン測定値データが、ウェアラブルデバイス１１０から、（例えば、直接接続１０８を介して、又は、接続１０２を介しデータネットワーク１０１を介し接続１０４を介して）取得され得る。次いで、ステップ４２０において、取得されたバイタルサインデータが、モバイルデバイス１４０又はウェアラブルデバイス１１０により、応急処置サーバ１６０に送信される。次いで、ステップ４２５において、データが、応急処置サーバ１６０から、モバイルデバイス１４０又はウェアラブルデバイス１１０により受信され得る。ステップ４３０において、モバイルデバイス１４０は、バイタルサインが許容可能なゾーン内にあるかどうかを判定することができる。ステップ４３５において、バイタルサインデータが許容可能なゾーン内にないと判定された場合、ステップ４４０において、モバイルデバイス１４０は、９１１又は別の緊急対応者に自動的に電話をかけることができる。ステップ４４５において、バイタルサインデータが許容可能なゾーン内にあると判定された場合、ベース命令１５４のプログラムフローは、ステップ４５０に移り、ステップ４５０において、ベース命令１５４は、損傷領域に関する入力を受信することができ、ステップ４５５において、損傷タイプに関する入力が、例えば、応急処置キットＧＵＩ１５２を介して、受信され得る。次いで、ステップ４６０において、これらの損傷領域データ及び損傷タイプデータが、応急処置サーバ１６０に送信され得、ステップ４６５において、応急処置指示が、応急処置サーバ１６０から、モバイルデバイス１４０により受信され得る。
【００４８】
図４におけるフロー図は、様々な実施形態により実行される特定の順序の動作を示しているが、そのような順序は例であることを理解されたい（例えば、代替実施形態は、異なる順序で動作を実行してもよいし、所定の動作を組み合わせてもよいし、所定の動作をオーバーラップさせてもよい、等である）。
【００４９】
図５は、応急処置サーバ１６０の緊急派遣命令１６２の例示的な動作を示すフローチャート５００である。図５は、例示的な緊急派遣データベース１６４に記憶されるバイタルサインの例示的なテーブルも示している。図５の例示的な緊急派遣データベース１６４内に示されるデータは、限定ではなく例示であることが意図されている。緊急派遣データベース１６４内のテーブルは、バイタルサインデータの許容可能な範囲を特定する（例えば、バイタル５４５は、下限５５０を下回る又は上限５５５を超えるべきではない）。図５の例示的な緊急派遣方法のステップ５０５において、バイタルサインセンサ測定値が、（例えば、ウェアラブルデバイス１１０から、又は、ウェアラブルデバイス１１０からバイタルサインセンサ測定値を取得したモバイルデバイス１４０から、）緊急派遣命令１６２を実行している応急処置サーバシステム１６０により受信され得る。次いで、ステップ５１０において、測定されたバイタルサインが、緊急派遣データベース１６４内の情報と比較され得る。次いで、ステップ５２０において、例示的な緊急派遣命令１６２は、測定されたバイタルサインが、許容可能なゾーン（例えば、下限５５０、上限５５５）内にあるかどうかを判定する。様々な実施形態において、判定５２０は、図示されるものよりも複雑である又は複雑でない代替の判定（又は一連の判定）で置換されてもよいことが理解されよう。例えば、いくつかの実施形態において、ステップ５３０における緊急派遣に連絡すべきかどうかの決定は、代替的又は追加的に、応急処置キット内で利用可能なアイテム、応急処置キットから除去されたアイテム、又は応急処置キットから使用されているアイテムに関する情報に基づいてもよい。例えば、即座のドレッシングを必要とする裂傷をユーザが受けたことをバイタル５４５又はユーザによる自己報告が示す状況において、応急処置キットがガーゼ及びハサミを含む場合には、この判定ブロックは、フローをステップ５２５に進ませ得るが、応急処置キットがこれらのアイテムのいずれかを含んでいない場合には（例えば、これらのアイテムが、応急処置キットに最初から提供されていなかった場合には、又は、これらのアイテムが、以前に除去され、戻されていない若しくは交換されていない場合には）、この判定ブロックは、フローをステップ５３０に進ませ得る。いくつかの実施形態において、方法５００は、バイタル又は他のデータに応じて、取るべきアクションの２つ以上のレベルを区別することができる。例えば、（例えば、バイタル、利用可能な応急処置キット内容物、使用のために選択される応急処置キット内容物等によって判別される、）状況の重大度又は他のコンテキストに応じて、方法５００は、応急処置指示を送信する、緊急公共派遣（例えば、米国における９１１）に連絡する、（緊急派遣をバイパスすることにより）緊急対応者に直接連絡する又は緊急対応者を直接派遣する、民間緊急対応機関に連絡する、応急処置ガイダンスを提供する民間又は公共ホットラインとの通信を確立する、又は、ユーザのモバイルデバイスに記憶されている情報により特定される緊急連絡者（親、配偶者、医師等）との通信を確立することができる。判定ブロック５２０の機能のそのような例は、機械学習を介して実装され得る。例えば、ロジスティック回帰を用いて、例示的な入力（例えば、バイタル、応急処置キット内容物、使用中の応急処置アイテム、ユーザ入力等）及び「正しい」アクションを含む大型データセットに対して分類アルゴリズムをトレーニングすることができる。その後、トレーニングされたアルゴリズムが、判定ブロック５２０として使用され得、いくつかの実施形態において、現実世界のシナリオに応じて、（例えば、ユーザの所望のアクションに関する又は取られたアクションが正しかったかどうかに関するユーザ入力を用いて、）さらなるトレーニング及び調整を受けることができる。
【００５０】
方法５００が、応急処置サーバにより実行されるとして説明されているが、（例えば、緊急支援を要求するために、又は、応急処置指示を要求若しくは表示するために）適切な応答に関する判定を行うための類似する方法が実行されてもよいことが明らかであろう。
【００５１】
前述したように、緊急派遣命令は、どの許容可能なゾーンが、緊急派遣データベース１６４内にあるかをチェックすることができる。測定されたバイタルサインが、許容可能なゾーンの外にある場合（例えば、測定されたバイタルサインが、下限５５０を下回る又は上限５５５を超える場合）、ステップ５３０において、応急処置サーバ１６０は、９１１又は別の緊急対応者に対してモバイルデバイスに電話をかけさせる信号を、モバイルデバイス１４０に送信する。バイタルサインが、許容可能なゾーン内にある場合、ステップ５２５において、応急処置サーバ１６０は、患者が問題ないことを示すメッセージ（「ＯＫ信号」）を、モバイルデバイス１４０に送信することができる。ステップ５２５において、応急処置サーバ１６０はまた、応急処置指示を特定できる特定元の入力を要求する促し（プロンプト：prompt）を、モバイルデバイスに送信することができる。
【００５２】
図５の例示的な緊急派遣データベース１６４は、４つのタイプのバイタル、すなわち、脈拍５６０、血圧５６５、呼吸数５７０、及び体温５７５を記憶する。許容可能なゾーンはそれぞれ、下限５５０及び上限５５５により規定される。図５の例示的な緊急派遣データベース１６４に従った許容可能な脈拍５６０は、４５〜１２０の間にあるべきである。同様に、許容可能な血圧５６５は、８５／５５〜１８０／１１０の間にあるべきであり、許容可能な呼吸数５７０は、１０〜２０の間にあるべきであり、許容可能な体温５７５は、９０〜１０１の間にあるべきである。図５の例示的な緊急派遣データベース１６４は、限定ではなく例示であると解釈されるべきであり、他のバイタルサインについての許容可能なゾーンを示してもよいし、図５に示されるバイタルサインを除いてもよい。
【００５３】
図５におけるフロー図は、様々な実施形態により実行される特定の順序の動作を示しているが、そのような順序は例であることを理解されたい（例えば、代替実施形態は、異なる順序で動作を実行してもよいし、所定の動作を組み合わせてもよいし、所定の動作をオーバーラップさせてもよい、等である）。
【００５４】
図６は、本明細書に記載の様々な機能及びプロセスを実装するために使用され得るモバイルデバイスアーキテクチャを示している。アーキテクチャ６００は、スマートウェアラブルデバイスを含むがこれに限定されるものではない任意の数のポータブルデバイスにおいて実装され得る。図６に示されるアーキテクチャ６００は、メモリインタフェース６０２、プロセッサ６０４、及び周辺インタフェース６０６を含む。メモリインタフェース６０２、プロセッサ６０４、及び周辺インタフェース６０６は、別個のコンポーネントであってよいし、１つ以上の集積回路の一部として集積されてもよい。様々なコンポーネントは、１つ以上の通信バス又は信号線を介して接続され得る。
【００５５】
図６に示されるプロセッサ６０４は、データプロセッサ、画像プロセッサ、中央処理装置、又は任意の多様なマルチコア処理デバイスを含むことが意図されている。任意の多様なセンサ、外部デバイス、及び外部サブシステムが、例示的なモバイルデバイスのアーキテクチャ６００内での任意の数の機能を促進するために、周辺インタフェース６０６に接続され得る。例えば、動きセンサ６１０、光センサ６１２、及び近接センサ６１４が、モバイルデバイスの向き機能、光機能、及び近接機能を促進するために、周辺インタフェース６０６に接続され得る。例えば、光センサ６１２は、タッチ表面６４６の明るさを調整するのを促進するために、使用され得る。加速度計又はジャイロスコープのコンテキストにおいて例示され得る動きセンサ６１０は、モバイルデバイスの動き及び向きを検出するために、使用され得る。次いで、表示オブジェクト又はメディアが、検出された向きに応じて（例えば、縦向き又は横向きに）提示され得る。
【００５６】
温度センサ、心拍数センサ、他のバイタルセンサ、又は他の検知デバイス等の他のセンサも、対応する機能を促進するために、周辺インタフェース６０６に接続され得る。位置プロセッサ６１５（例えば、全地球測位トランシーバ）が、ジオロケーションデータの生成を可能にするために、周辺インタフェース６０６に接続され得、それによりジオ測位を促進する。集積回路チップ等の電子磁力計６１６が、実際の磁北の方向に関するデータを提供し、それにより、モバイルデバイスがコンパス機能又は方向機能を享受できるように、周辺インタフェース６０６に接続され得る。カメラサブシステム６２０と、電荷結合素子（ＣＣＤ）又は相補型金属酸化膜半導体（ＣＭＯＳ）光学センサ等の光学センサ６２２と、は、写真及びビデオクリップを記録する等のカメラ機能を促進することができる。
【００５７】
通信機能は、１つ以上の無線通信サブシステムを含み得る１つ以上の通信サブシステム６２４を用いて促進され得る。無線通信サブシステム６２４は、８０２．５トランシーバ又はＢｌｕｅｔｏｏｔｈ（登録商標）トランシーバに加えて、赤外線等の、光学トランシーバを含み得る。有線通信システムは、ユニバーサルシリアルバス（ＵＳＢ）ポート、又は、ネットワークアクセスデバイス、パーソナルコンピュータ、プリンタ、ディスプレイ、若しくはデータを受信及び／又は送信することができる他の処理デバイス等の他のコンピューティングデバイスとの有線結合を確立するために使用され得る何らかの他の有線ポート接続等のポートデバイスを含み得る。通信サブシステム６２４の具体的な設計及び実装は、デバイスが動作するように意図されている通信ネットワーク又は通信媒体に依存し得る。例えば、デバイスは、ＧＳＭ（登録商標）ネットワーク、ＧＰＲＳネットワーク、エンハンストデータＧＳＭ（登録商標）環境（ＥＤＧＥ）ネットワーク、８０２．５通信ネットワーク、符号分割多元接続（ＣＤＭＡ）ネットワーク、又はＢｌｕｅｔｏｏｔｈ（登録商標）ネットワーク上で動作するように設計されている無線通信サブシステムを含み得る。通信サブシステム６２４は、デバイスが他の無線デバイスのための基地局として構成され得るようなホスティングプロトコルを含み得る。通信サブシステムはまた、デバイスが、ＴＣＰ／ＩＰ、ＨＴＴＰ、又はＵＤＰ等の１つ以上のプロトコルを使用してホストデバイスと同期することを可能にし得る。
【００５８】
オーディオサブシステム６２６は、音声対応機能を促進するために、スピーカ６２８及び１つ以上のマイクロフォン６３０に接続され得る。これらの機能は、音声認識、音声複製、又はデジタル記録を含み得る。オーディオサブシステム６２６は、一緒になると、従来の電話機能も包含し得る。
【００５９】
Ｉ／Ｏサブシステム６４０は、タッチコントローラ６４２及び／又は１つ以上の他の入力コントローラ６４４を含み得る。タッチコントローラ６４２は、タッチ表面６４６に接続され得る。タッチ表面６４６及びタッチコントローラ６４２は、静電容量技術、抵抗技術、赤外線技術、又は表面弾性波技術を含むがこれらに限定されるものではない複数のタッチ検知技術のうちの任意の技術を使用して、接触及び動き又はその中断を検出することができる。タッチ表面６４６との１つ以上の接触ポイントを判別するための他の近接センサアレイ又は素子も、同様に使用され得る。一実装において、タッチ表面６４６は、ユーザにより入力／出力デバイスとして使用され得る、仮想ボタン又はソフトボタン及び仮想キーボードを表示することができる。
【００６０】
他の入力コントローラ６４４が、１つ以上のボタン、ロッカースイッチ、サムホイール、赤外線ポート、ＵＳＢポート、又は、スタイラス等のポインタデバイス等の他の入力／制御デバイス６４８に接続され得る。１つ以上のボタン（図示せず）は、スピーカ６２８又はマイクロフォン６３０のボリューム制御のためのアップ／ダウンボタンを含み得る。いくつかの実装において、デバイス６００は、オーディオ又はビデオ再生又は記録デバイスの機能を含み得、他のデバイスに接続するためのピンコネクタを含み得る。
【００６１】
メモリインタフェース６０２は、メモリ６５０に接続され得る。メモリ６５０は、磁気ディスク記憶デバイス、光記憶デバイス、又はフラッシュメモリ等の、高速ランダムアクセスメモリ又は不揮発性メモリを含み得る。メモリ６５０は、Ｄａｒｗｉｎ、ＲＴＸＣ、ＬＩＮＵＸ（登録商標）、ＵＮＩＸ（登録商標）、ＯＳ  Ｘ、ＡＮＤＲＯＩＤ（登録商標）、ＷＩＮＤＯＷＳ（登録商標）、又は、ＶＸＷｏｒｋｓ等の組み込みオペレーティングシステム等のオペレーティングシステム６５２を記憶することができる。オペレーティングシステム６５２は、基本システムサービスを処理するための命令及びハードウェア依存タスクを実行するための命令を含み得る。いくつかの実装において、オペレーティングシステム６５２は、カーネルを含み得る。
【００６２】
メモリ６５０はまた、他のモバイルコンピューティングデバイス又はサーバと通信するのを促進するための通信命令６５４を記憶することができる。通信命令６５４はまた、ＧＰＳ／ナビゲーション命令６６８により取得され得る地理的位置に基づいて、デバイスにより使用される動作モード又は通信媒体を選択するために、使用され得る。メモリ６５０は、インタフェースの生成等のグラフィカルユーザインタフェース処理を促進するためのグラフィカルユーザインタフェース（ＧＵＩ）命令６５６；センサ関連プロセス及び機能を促進するためのセンサ処理命令６５８；電話関連プロセス及び機能を促進するための電話命令６６０；電子メッセージング関連プロセス及び機能を促進するための電子メッセージング命令６６２；ウェブブラウジング関連プロセス及び機能を促進するためのウェブブラウジング命令６６４；メディア処理関連プロセス及び機能を促進するためのメディア処理命令６６６；ＧＰＳ及びナビゲーション関連プロセスを促進するためのＧＰＳ／ナビゲーション命令６６８；カメラ関連プロセス及び機能を促進するためのカメラ命令６７０；歩数計関連プロセスを促進するための歩数計ソフトウェア６７２；アクティブ化レコード／ＩＭＥＩ関連プロセスを促進するためのアクティブ化レコード／ＩＭＥＩソフトウェア６７４；及び、モバイルコンピューティングデバイス上で動作し得る又はモバイルコンピューティングデバイスと協働し得る任意の他のアプリケーションのための命令；を含み得る。メモリ６５０はまた、ナビゲーション、ソーシャルネットワーキング、位置ベースのサービス、又はマップ表示に関連するアプリケーション等の、他のプロセス、機能、及びアプリケーションを促進するための他のソフトウェア命令を記憶することができる。
【００６３】
図７Ａは、モバイルデバイス１４０の例示的な応急処置キットＧＵＩ１５２において選択され得る応急処置指示１７０に関連する例示的な損傷タイプ選択ボックスの図である。図７Ａの例示的な応急処置キットＧＵＩ１５２により提示される応急処置選択ボックスは、腕の骨折７０５、肘の骨折７１０、脚の骨折７２０、頸部痛７２０、内臓損傷７２５、深い切傷７３０、意識消失７３５、頭部裂傷７４０、及びその他の損傷７４５を含む。個々の探索用応急処置指示は、応急処置サーバ１６０からユーザのモバイルデバイス１４０又はウェアラブルデバイス１１０において関連する指示を受信するための適切な選択ボックスを単に選択させるだけでよい。例えば、応急処置キットＧＵＩ１５２において、腕の骨折７０５が選択されたとき、応急処置指示は、腕を動かさずに氷又は氷状の物を損傷部に当てることを勧告することを、ユーザモバイルデバイス１４０に送信することができる。
【００６４】
図７Ｂは、応急処置サーバ１６０のベース命令において応急処置指示１７０を生成する例示的なプロセスを示すフローチャートである。いくつかの実施形態において、この例示的なプロセスは、サードパーティソース１７４に対して動作するプロセッサにより実行され得る。ステップ７５５において、入力が、モバイルデバイス１４０の応急処置キットアプリケーション１５０から、応急処置サーバ１６０により受信され得る。入力が、応急処置サーバ１６０により受信された後、ステップ７６０において、応急処置サーバ１６０は、関連する応急処置指示を見つけるために、サードパーティソース１７４（例えば、サードパーティサーバ又はサードパーティデータベース）を捜すことができる。次いで、ステップ７６５において、関連する応急処置指示が、サードパーティソース１７４から得られ得、いくつかの実施形態においては、応急処置サーバ１６０に記憶され得る。次いで、図７Ｂの方法のステップ７７０において、応急処置指示が、モバイルデバイス１４０の応急処置キットアプリケーション１５０に送信され、いくつかの実施形態においては、ウェアラブルデバイス１１０にも送信される。
【００６５】
図７Ａ及び図７Ｂにおけるフロー図は、様々な実施形態により実行される特定の順序の動作を示しているが、そのような順序は例であることを理解されたい（例えば、代替実施形態は、異なる順序で動作を実行してもよいし、所定の動作を組み合わせてもよいし、所定の動作をオーバーラップさせてもよい、等である）。
【００６６】
図８は、本明細書に記載の例示的な方法及び原理と整合する例示的な方法を示すフローチャート８００である。図８は、ステップ８０１で開始し、ステップ８０１は、ウェアラブルデバイス１１０に、プロセッサ１１２、メモリ１１４、バッテリ１１８、ＧＵＩ１２８、通信インタフェース１２４、ディスプレイ１２０、アラート命令１３０、ビーコン１３２、ベース命令１２６、及び、ウェアラブルデバイス１１０に関連付けられる絆創膏センサ１８２を含み得るセンサ１１６を提供することを含む。次いで、この方法のステップ８１０において、モバイルデバイス１４０に、応急処置キットアプリケーション１５０、応急処置キットＧＵＩ１５２、ベース命令１５４、バッテリ１４６、メモリ１４２、通信インタフェース１４４、及びオペレーティングシステム１４８が提供される。次いで、ステップ８２０において、応急処置サーバ１６０に、緊急派遣命令１６２、緊急派遣データベース１６４、応急処置指示データベース１７０、応急処置指示ベース命令１７２、及び、サードパーティソースと通信するために使用され得る通信インタフェースが提供される。
【００６７】
図８の方法のステップ８３０において、被害者／患者／ユーザが、ウェアラブルデバイス１１０を装着し、ウェアラブルデバイス１１０が、ビーコン１３２又は通信インタフェース１２４を使用して、モバイルデバイス１４０に接続し、応急処置キットアプリケーション１５０が、モバイルデバイス１４０にダウンロードされ、ウェアラブルデバイスが、センサ１１６を用いてバイタルサインを測定し、次いで、ウェアラブルデバイスが、バイタルサインセンサ測定値データを、モバイルデバイス１４０の応急処置キットアプリケーション１５０に送信する。
【００６８】
図８の方法のステップ８４０において、モバイルデバイス１４０の応急処置キットアプリケーション１５０は、バイタルサイン測定値データを、応急処置サーバ１６０に送信する。次いで、ステップ８５０において、緊急派遣命令１６２を実行している応急処置サーバ１６０は、いずれかのバイタルサインが、許容可能なゾーンの外にあるかどうかを識別する。バイタルサインが、許容可能でないレベルにある場合、ステップ８５０において、緊急派遣命令は、モバイルデバイス上で実行されている応急処置キット命令に、緊急派遣への電話を開始させるための信号を、モバイルデバイスに送信することができる。全てのバイタルサインが、許容可能なゾーン内にある場合、ステップ８５０において、応急処置サーバは、ウェアラブルデバイスを装着している人が問題ないことを示すメッセージを、モバイルデバイスに送信する。
【００６９】
図８の方法のステップ８６０において、モバイルデバイス１４０の応急処置キットアプリケーションＧＵＩ１５２は、損傷領域及び損傷タイプを入力するように、モバイルデバイスのユーザに要求する（例えば、図７Ａの応急処置指示選択ボックス）。損傷領域及び損傷タイプが、ＧＵＩに入力された後、ステップ８６０において、損傷領域及び損傷タイプが、応急処置サーバ１６０に送信され得る。最後に、図８のステップ８７０において、応急処置サーバ１６０は、サードパーティに問い合わせて、関連する応急処置対応指示１７０を見つけ、応急処置サーバ１６０は、これらの指示を、モバイルデバイスに、又は、いくつかの実施形態においてはウェアラブルデバイス１１０に、転送する。
【００７０】
図８におけるフロー図は、様々な実施形態により実行される特定の順序の動作を示しているが、そのような順序は例であることを理解されたい（例えば、代替実施形態は、異なる順序で動作を実行してもよいし、所定の動作を組み合わせてもよいし、所定の動作をオーバーラップさせてもよい、等である）。
【００７１】
上記に従うと、様々な実施形態は、応急処置キット内への低コストのウェアラブルデバイスの提供を可能にする。例えば、ウェアラブルデバイスと通信し、ウェアラブルデバイスからのデータを解釈するための命令をユーザのモバイルデバイスに自動的に又は他の形で容易にロードする応急処置キットを提供することにより、ウェアラブルデバイスにより通常実行される機能が、モバイルデバイスに移され得る。したがって、ウェアラブルデバイスにより必要とされる処理能力及び他のリソースが低減され、これは、大量生産することができるより低いコストのウェアラブルデバイスが、同様に低コストの応急処置キット内に含有されることをもたらす。
【００７２】
さらに、応急処置キット内のウェアラブルデバイスの含有は、応急処置キットを利用するときの強化された支援を可能にする。応急処置キットは、持ち運びできる衛生材を提供するが、ある意味では、応急処置キットは、緊急状況において価値があり得る同様のダウンスケールされた患者モニタリングソリューションを提供しない。応急処置キット内にウェアラブルデバイスを提供することにより、重要な情報が、応急処置キットユーザにより観察されて、例えば電話を通じて緊急医療スタッフに伝えられ得るように、そのようなモニタリングが、現場において実現され得る。様々な追加の便益及び技術的利点が、上記に鑑みれば明らかであろう。
【００７３】
本発明の様々な例示的な実施形態は、ハードウェア又はファームウェアにより実装され得ることが、上記の説明から明らかであろう。さらに、様々な例示的な実施形態は、本明細書で詳細に説明された動作を実行するように、少なくとも１つのプロセッサにより読み取られて実行され得る、マシン読み取り可能な記憶媒体に記憶される命令として実装され得る。マシン読み取り可能な記憶媒体は、パーソナルコンピュータ、ラップトップコンピュータ、サーバ、又は他のコンピューティングデバイス等のマシンにより読み取り可能な形式で情報を記憶するための任意の機構を含み得る。したがって、マシン読み取り可能な記憶媒体は、読み取り専用メモリ（ＲＯＭ）、ランダムアクセスメモリ（ＲＡＭ）、磁気ディスク記憶媒体、光記憶媒体、フラッシュメモリデバイス、及び同様の記憶媒体を含み得る。
【００７４】
本出願における任意のブロック図は、本発明の原理を具現化する例示的な回路の概念図を表すことが、当業者により理解されよう。同様に、任意のフローチャート、フロー図、状態遷移図、擬似コード等は、マシン読み取り可能な媒体において実質的に表現され、コンピュータ又はプロセッサが明示されていようがいまいが、そのようなコンピュータ又はプロセッサにより実行され得る様々なプロセスを表すことが理解されよう。
【００７５】
様々な例示的な実施形態が、その所定の例示的な態様について具体的に言及しながら詳細に説明されたが、本発明は、他の実施形態も可能であり、その詳細は、様々な自明な点において変更可能であることを理解されたい。当業者には容易に明らかなように、本発明の主旨及び範囲内にありながら変形及び変更を実施することが可能である。したがって、上記の開示、説明、及び図面は、例示のためだけにあり、請求項によってのみ定められる本発明をどのようにも限定するものでない。
【図１】
0006629860.tif 000002
【図２Ａ】
0006629860.tif 000003
【図２Ｂ】
0006629860.tif 000004
【図２Ｃ】
0006629860.tif 000005
【図３Ａ】
0006629860.tif 000006
【図３Ｂ】
0006629860.tif 000007
【図４】
0006629860.tif 000008
【図５】
0006629860.tif 000009
【図６】
0006629860.tif 000010
【図７Ａ】
0006629860.tif 000011
【図７Ｂ】
0006629860.tif 000012
【図８】
0006629860.tif 000013